(57)【要約】【課題】簡単な構成でＲＦＩＤタグと固定型アンテナとの可能距離を大きくして、固定型アンテナと物品との接触を防止するとともに、保管用棚の移動速度が速くても多数の物品のＲＦＩＤタグと正確な交信が可能な物品管理保管装置を提供すること。【解決手段】物品を多数載置する保管用棚１１０の近傍に設置され物品に備えられたＲＦＩＤタグ１０３と交信する固定型アンテナ１３０を有する物品管理保管装置において、保管用棚１１０が物品の載置面に電磁誘導伝達板１５０を有すること。【選択図】図２
2010241576.tif 000002
【特許請求の範囲】
【請求項１】
それぞれＲＦＩＤタグを備えた物品を多数載置する保管用棚と、該保管用棚の近傍に設置されＲＦＩＤタグと交信する固定型アンテナとを有する物品管理保管装置において、
前記保管用棚が、物品の載置面に電磁誘導伝達板を有することを特徴とする物品管理保管装置。
【請求項２】
前記保管用棚が、垂直方向に多段に配置されて保管用棚ユニットを構成し、
該保管用棚ユニットが、水平方向に多数連結されるとともに、前記固定型アンテナの近傍および物品の入出庫部を含む経路を移動可能に構成され、
前記ＲＦＩＤタグとの交信により、物品を管理することを特徴とする請求項１に記載の物品管理保管装置。
【請求項３】
前記電磁誘導伝達板が、絶縁板に導電性配線パターンを設けてなることを特徴とする請求項１または請求項２に記載の物品管理保管装置。
【請求項４】
前記導電性配線パターンが、平行に延在し互いに電気的にフローティング状態に維持される複数のフローティング電極と、平行に延在し少なくとも一方の端部で互いに電気的に接続状態に維持される複数の導通電極とを有し、
前記フローティング電極が、それぞれ前記導通電極の間に設けられるとともに、少なくとも１個所において他よりも細い紐状のフローティング電極が導通電極の間に複数本平行に設けられていることを特徴とする請求項３に記載の物品管理保管装置。
【請求項５】
前記保管用棚ユニットが、ループ状に多数連結されていることを特徴とする請求項２乃至請求項４のいずれかに記載の物品管理保管装置。
【請求項６】
前記固定型アンテナが、前記保管用棚ユニットの移動経路中に前記保管用棚ユニットの水平方向のピッチと異なるピッチで複数個所設けられていることを特徴とする請求項２乃至請求項５のいずれかに記載の物品管理保管装置。
【発明の詳細な説明】
【技術分野】
【０００１】
本発明は、それぞれＲＦＩＤタグを備えた物品を多数載置する保管用棚と、該保管用棚の近傍に設置されＲＦＩＤタグと交信する固定型アンテナとを有する物品管理保管装置に関し、特に、銀行、証券会社、病院などにおいて債権書類、有価証券、患者カルテなどの重要書類を保管書類として集中保管するための書類管理システム等、書類ファイルが集中保管される多数の書類保管用棚を水平方向に移動させて所望の書類ファイルを入出庫管理する物品管理保管装置に関するものである。
【背景技術】
【０００２】
従来、それぞれＲＦＩＤタグを備えた物品を多数載置する保管用棚と、該保管用棚の近傍に設置されＲＦＩＤタグと交信する固定型アンテナとを有し、保管用棚が垂直方向に多段に配置されて保管用棚ユニットを構成して水平方向に多数連結され、固定型アンテナの近傍および物品の入出庫部を含む経路を移動して物品を管理するように構成された物品管理保管装置が知られている（例えば、特許文献１参照）。
【先行技術文献】
【特許文献】
【０００３】
【特許文献１】特開２００８−２４７５４２号公報（第４頁乃至第５頁、図１、図２）
【発明の概要】
【発明が解決しようとする課題】
【０００４】
しかしながら、公知の物品管理保管装置では、固定型アンテナが物品に備えられたＲＦＩＤタグと正確に交信するためには、保管用棚と固定型アンテナとの距離をできる限り小さくする必要があり、保管用棚が移動する際に物品と固定型アンテナが接触する虞があり、保管用棚への物品の収納の際に細心の注意が必要であった。
また、接触の際の物品や物品管理保管装置の損傷を防止するため、あるいは、多数の物品のＲＦＩＤタグと正確に交信するために、保管用棚の移動速度を速くすることができず、入出庫に時間がかかるという問題があった。
【０００５】
本発明は、前述したような従来技術の問題を解決するものであって、すなわち、本発明の目的は、簡単な構成でＲＦＩＤタグと固定型アンテナとの可能距離を大きくして、固定型アンテナと物品との接触を防止するとともに、保管用棚の移動速度が速くても多数の物品のＲＦＩＤタグと正確な交信が可能な物品管理保管装置を提供することである。
【課題を解決するための手段】
【０００６】
本請求項１に係る発明は、それぞれＲＦＩＤタグを備えた物品を多数載置する保管用棚と、該保管用棚の近傍に設置されＲＦＩＤタグと交信する固定型アンテナとを有する物品管理保管装置において、前記保管用棚が、物品の載置面に電磁誘導伝達板を有することにより、前記課題を解決するものである。
【０００７】
本請求項２に係る発明は、請求項１に記載された物品管理保管装置の構成に加えて、前記保管用棚が、垂直方向に多段に配置されて保管用棚ユニットを構成し、該保管用棚ユニットが、水平方向に多数連結されるとともに、前記固定型アンテナの近傍および物品の入出庫部を含む経路を移動可能に構成され、前記ＲＦＩＤタグとの交信により、物品を管理することにより、前記課題をさらに解決するものである。
【０００８】
本請求項３に係る発明は、請求項１または請求項２に記載された物品管理保管装置の構成に加えて、前記電磁誘導伝達板が、絶縁板に導電性配線パターンを設けてなることにより、前記課題をさらに解決するものである。
【０００９】
本請求項４に係る発明は、請求項３に記載された物品管理保管装置の構成に加えて、前記導電性配線パターンが、平行に延在し互いに電気的にフローティング状態に維持される複数のフローティング電極と、平行に延在し少なくとも一方の端部で互いに電気的に接続状態に維持される複数の導通電極とを有し、前記フローティング電極が、それぞれ前記導通電極の間に設けられるとともに、少なくとも１個所において他よりも細い紐状のフローティング電極が導通電極の間に複数本平行に設けられていることにより、前記課題をさらに解決するものである。
【００１０】
本請求項５に係る発明は、請求項２乃至請求項４のいずれかに記載された物品管理保管装置の構成に加えて、前記保管用棚ユニットが、ループ状に多数連結されていることにより、前記課題をさらに解決するものである。
【００１１】
本請求項６に係る発明は、請求項２乃至請求項５のいずれかに記載された物品管理保管装置の構成に加えて、前記固定型アンテナが、前記保管用棚ユニットの移動経路中に前記保管用棚ユニットの水平方向のピッチと異なるピッチで複数個所設けられていることにより、前記課題をさらに解決するものである。
【発明の効果】
【００１２】
本発明の物品管理保管装置は、それぞれＲＦＩＤタグを備えた物品を多数載置する保管用棚と、該保管用棚の近傍に設置されＲＦＩＤタグと交信する固定型アンテナとを有することにより、物品のＲＦＩＤタグに記憶された物品の情報を固定型アンテナにより読みとり、あるいは、物品の管理情報を固定型アンテナから書き込むことで、物品の管理や入出庫の作業負担を大幅に軽減することができるとともに、以下のような格別の効果を奏するものである。
【００１３】
すなわち、本請求項１に係る発明の物品管理保管装置は、保管用棚が物品の載置面に電磁誘導伝達板を有することにより、ＲＦＩＤタグと固定型アンテナとの交信可能距離を大きくすることができるため、保管用棚と固定型アンテナとの距離を大きくすることで保管用棚が移動する際に物品と固定型アンテナが接触することを防止することができるとともに、保管用棚への物品の収納の際の作業負担を軽減することができる。
【００１４】
本請求項２に係る発明の物品管理保管装置は、請求項１に係る物品管理保管装置が奏する効果に加えて、保管用棚が垂直方向に多段に配置されて保管用棚ユニットを構成し、該保管用棚ユニットが水平方向に多数連結されるとともに、固定型アンテナの近傍および物品の入出庫部を含む経路を移動可能に構成され、ＲＦＩＤタグとの交信により物品を管理することにより、各保管用棚にアンテナを配して配線を引き回す必要がないため、装置が簡略化され故障等の発生を防止することができるとともに、物品と固定型アンテナが接触することが防止され保管用棚の移動速度を速くすることができるため、さらに物品の管理や入出庫の作業負担を大幅に軽減することができる。
【００１５】
本請求項３に係る発明の物品管理保管装置は、請求項１または請求項２に係る物品管理保管装置が奏する効果に加えて、電磁誘導伝達板が絶縁板に導電性配線パターンを設けてなることにより、いかなる材質の保管用棚であっても上面に載置固定することが可能となるため、装置が簡略化され故障等の発生を防止することができる。
【００１６】
本請求項４に係る発明の物品管理保管装置は、請求項３に係る物品管理保管装置が奏する効果に加えて、導電性配線パターンが平行に延在し互いに電気的にフローティング状態に維持される複数のフローティング電極と、平行に延在し少なくとも一方の端部で互いに電気的に接続状態に維持される複数の導通電極とを有し、フローティング電極がそれぞれ前記導通電極の間に設けられるとともに、少なくとも１個所において他よりも細い紐状のフローティング電極が導通電極の間に複数本平行に設けられていることにより、さらにＲＦＩＤタグと固定型アンテナとの交信可能距離を大きくすることができるため、保管用棚と固定型アンテナとの距離を大きくすることで保管用棚が移動する際に物品と固定型アンテナが接触することを防止することができるとともに、保管用棚への物品の収納の際の作業負担を軽減することができる。
【００１７】
本請求項５に係る発明の物品管理保管装置は、請求項２乃至請求項４のいずれかに係る物品管理保管装置が奏する効果に加えて、保管用棚ユニットがループ状に多数連結されていることにより、物品の入出庫および保管を効率よく行うことができる。
【００１８】
また、本請求項６に係る発明の物品管理保管装置は、請求項２乃至請求項５のいずれかに係る物品管理保管装置が奏する効果に加えて、固定型アンテナが保管用棚ユニットの移動経路中に保管用棚ユニットの水平方向のピッチと異なるピッチで複数個所設けられていることにより、物品に備えられたＲＦＩＤタグは保管用棚内の位置に応じて複数の固定型アンテナのいずれか一つとのみ交信することができるため、保管用棚の移動速度が速くてもそれぞれの物品のＲＦＩＤタグとの交信のための時間を長く確保でき、多数の物品のＲＦＩＤタグと正確な交信が可能となる。
【図面の簡単な説明】
【００１９】
【図１】本発明の一実施例である物品管理保管装置の全体斜視図。
【図２】本発明の保管用棚の説明斜視図。
【図３】本発明の電磁誘導伝達板の第１実施例の平面配線図。
【図４】本発明の電磁誘導伝達板の第２実施例の平面配線図。
【図５】本発明の電磁誘導伝達板の第３実施例の平面配線図。
【図６】本発明の電磁誘導伝達板の第４実施例の平面配線図。
【図７】本発明の電磁誘導伝達板の他の実施例の平面配線図。
【図８】図１の物品管理保管装置の保管用棚と固定型アンテナの配置説明図。
【発明を実施するための形態】
【００２０】
本発明の物品管理保管装置は、それぞれＲＦＩＤタグを備えた物品を多数載置する保管用棚と、該保管用棚の近傍に設置されＲＦＩＤタグと交信する固定型アンテナとを有する物品管理保管装置において、保管用棚が物品の載置面に電磁誘導伝達板を有し、簡単な構成でＲＦＩＤタグと固定型アンテナとの交信可能距離を大きくすることができ、固定型アンテナと物品との接触を防止できるとともに、保管用棚の移動速度が速くても多数の物品のＲＦＩＤタグと正確な交信が可能となるという効果を発揮するものであれば、その具体的な実施態様は如何なるものであっても何ら構わない。
【００２１】
すなわち、本発明の物品管理保管装置の電磁誘導伝達板は、保管用棚の載置面上に配置固定されるものであっても良く、保管用棚自体を電磁誘導伝達板で構成しても良い。
【実施例】
【００２２】
以下に、本発明の実施例である物品管理保管装置について、図面に基づいて説明する。
本発明の一実施例である書類ファイルが集中保管される物品管理保管装置１００は、図１に示すように、書類ファイルを収容する保管用棚１１０が垂直方向に多段に配置された保管用棚ユニット１２０が水平方向にループ状に多数連結されて循環経路上を移動可能に構成されている。
【００２３】
保管用棚ユニット１２０の循環経路の少なくとも１個所（本実施例では図面左の端部）に入出庫部１０１が設けられ、該入出庫部１０１には物品管理保管装置１００に保管された書庫ファイルの管理および保管用棚ユニット１２０の移動操作を行う制御コンソール１４０が配置されている。
【００２４】
また、保管用棚ユニット１２０の循環経路上には、垂直方向に多段に配置された各保管用棚１１０の前面に対峙する固定型アンテナ１３０（図１には図示せず）を備えるアンテナユニット１３１、１３２、１３３が設けられている。
【００２５】
それぞれの保管用棚１１０においては、図２に模式的に示すように、ＲＦＩＤタグ１０３を有する書類ファイル１０２が、ファイルボックス１０４に収納された状態で電磁誘導伝達板１５０上に水平方向に多数載置され、前面に近傍に設けられたアンテナユニット１３１、１３２、１３３（図２では図示せず）に備えられた固定型アンテナ１３０と対峙することで、ＲＦＩＤタグ１０３と固定型アンテナ１３０とが交信するように構成されている。
【００２６】
電磁誘導伝達板１５０は、導電性配線パターンによって電磁波を誘導して交信可能距離を延ばすものであり、該導電性配線パターンは、図３に示すように、短辺方向に平行に延在し互いに電気的にフローティング状態に維持される複数のフローティング電極１５１と、平行に延在し少なくとも一方の端部で互いに電気的に接続状態に維持される複数の導通電極１５２とを有しており、フローティング電極１５１は導通電極１５２の間に設けられるとともに、長辺方向の中央の１個所にフローティング電極１５１よりも細い紐状フローティング電極１５３が導通電極１５２の間に複数本平行に設けられている。
【００２７】
電磁誘導伝達板の導電性配線パターンの第２実施例は、図４に示すように、上記の実施例と同様、短辺方向に平行に延在し互いに電気的にフローティング状態に維持される複数のフローティング電極１５１と、平行に延在し少なくとも一方の端部で互いに電気的に接続状態に維持される複数の導通電極１５２とを有しており、フローティング電極１５１は導通電極１５２の間に設けられるとともに、長辺方向の最端部の１個所にフローティング電極１５１よりも細い紐状フローティング電極１５３が導通電極１５２の間に複数本平行に設けられている。
【００２８】
電磁誘導伝達板の導電性配線パターンの第３実施例は、図５に示すように、長辺方向に平行に、かつ、左右に分割されて延在し互いに電気的にフローティング状態に維持される複数のフローティング電極１５１と、平行に延在し少なくとも一方の端部で互いに電気的に接続状態に維持される複数の導通電極１５２とを有しており、フローティング電極１５１は導通電極１５２の間に設けられるとともに、長辺方向の中央の１個所に短辺方向に延在しフローティング電極１５１よりも細い紐状フローティング電極１５３が左右のフローティング電極１５１および導通電極１５２の間に複数本平行に設けられている。
【００２９】
電磁誘導伝達板の導電性配線パターンの第４実施例は、図６に示すように、長辺方向に平行に延在し互いに電気的にフローティング状態に維持される複数のフローティング電極１５１と、平行に延在し少なくとも一方の端部で互いに電気的に接続状態に維持される複数の導通電極１５２とを有しており、フローティング電極１５１は導通電極１５２の間に設けられるとともに、長辺方向の中最端部の短辺方向に延在しフローティング電極１５１よりも細い紐状フローティング電極１５３がフローティング電極１５１および導通電極１５２の間に複数本平行に設けられている。
【００３０】
さらに、電磁誘導伝達板の導電性配線パターンの他の実施例として、図７（ａ）に示すように、矩形状の導電性配線パターンを組み合わせたもの、図７（ｂ）に示すように、三角状の導電性配線パターンを組み合わせたもの、図７（ｃ）に示すように、渦巻き状の導電性配線パターンを組み合わせたもの等も採用可能である。
また、上記導電性配線パターンは、導通電極１５２の一部を入力信号が導入されるパターンとして固定アンテナの配線パターンとして採用しても良い。
【００３１】
アンテナユニット１３１、１３２、１３３は、保管用棚ユニット１２０の水平方向のピッチと異なるピッチで設けられており、図８に示すように、アンテナユニット１３１には保管用棚１１０の右方約１／３の書類ファイル１０２のＲＦＩＤタグ１０３と交信する固定型アンテナ１３０Ａが、アンテナユニット１３２には保管用棚１１０の中央部約１／３の書類ファイル１０２のＲＦＩＤタグ１０３と交信する固定型アンテナ１３０Ｂが、アンテナユニット１３３には保管用棚１１０の左方約１／３の書類ファイル１０２のＲＦＩＤタグ１０３と交信する固定型アンテナ１３０Ｃが、それぞれ設けられている。
【００３２】
以上のように構成された本発明の物品管理保管装置１００は、電磁誘導伝達板１５０を設けることでＲＦＩＤタグ１０３と固定型アンテナ１３０との交信可能距離を大きくすることができるため、保管用棚ユニット１２０とアンテナユニット１３１との距離を大きくすることができ、保管用棚１１０へのファイルボックス１０４の収納の際に多少の突出があってもアンテナユニット１３１と接触することがなく、保管用棚１１０への書類ファイル１０２の収納の際の作業負担を軽減することができる。
【００３３】
また、電磁誘導伝達板１５０により交信可能距離が大きくなり、さらに、１つの固定型アンテナ１３０が交信を受け持つＲＦＩＤタグ１０３が分散されその数が減少するため、保管用棚ユニット１２０の移動速度を速くすることができる。
【００３４】
なお、上記実施例は、保管用棚１１０にファイルボックス１０４に収納された書類ファイル１０２を収容するものであるが、書類ファイル１０２を直接収容しても良く、また、如何なる物品を収容しても良い。
また、保管用棚ユニット１２０は水平方向にループ状に多数連結されて循環経路上を移動可能としているが、垂直方向に移動するものであっても良く、ループ状の循環経路ではなく往復経路であっても良い。
【符号の説明】
【００３５】
１００  ・・・物品管理保管装置
１０１  ・・・入出庫部
１０２  ・・・書類ファイル
１０３  ・・・ＲＦＩＤタグ
１０４  ・・・ファイルボックス
１１０  ・・・保管用棚
１２０  ・・・保管用棚ユニット
１３０  ・・・固定型アンテナ
１３１  ・・・アンテナユニット
１３２  ・・・アンテナユニット
１３３  ・・・アンテナユニット
１４０  ・・・制御コンソール
１５０  ・・・電磁誘導伝達板
１５１  ・・・フローティング電極
１５２  ・・・導通電極
１５３  ・・・紐状フローティング電極
【図１】
2010241576.tif 000003
【図２】
2010241576.tif 000004
【図３】
2010241576.tif 000005
【図４】
2010241576.tif 000006
【図５】
2010241576.tif 000007
【図６】
2010241576.tif 000008
【図７】
2010241576.tif 000009
【図８】
2010241576.tif 000010